(57)【要約】【課題】  包装カバー体、二次電池のコアコンポーネント及び電解物質を包含する二次電池を提供する。【解決手段】  包装カバー体にプリント基板材質を用い、且つ、二次電池のコアコンポーネントを密封包囲している。電解物質が包装カバー体で密封包囲する空間内に充填されている。二次電池のコアコンポーネントは正電極、隔離膜、負電極を包含し、且つ該三者が上から下へ順序とおり重畳する。正電極は少なくとも第一基板、及び、第一基板の上部面と下部面をそれぞれ被覆する第一金属薄層を包含する。負電極は少なくとも第二基板、及び、第二基板の上部面と下部面をそれぞれ被覆する第二金属薄層を包含する。【選択図】  図２
2006054182.tif 000002
【特許請求の範囲】
【請求項１】
二次電池において、二次電池のコアコンポーネントは正電極、隔離膜、負電極が順序とおり重畳することを包含し、及び、
該正電極には、少なくとも第一基板、及び、該第一基板の上部面と下部面をそれぞれ被覆する第一金属薄層を包含し、及び、
該負電極には、少なくとも第二基板、及び、該第二基板の上部面と下部面をそれぞれ被覆する第二金属薄層を包含し、
包装カバー体が、プリント基板材質で、且つ、該二次電池のコアコンポーネントを密封包囲し、
電解物質が、該包装カバー体で密封包囲する空間内に充填されていることを特徴とする、二次電池。
【請求項２】
請求項１記載の二次電池において、この中の該第一基板が、プリント基板材質であることを特徴とする、二次電池。
【請求項３】
請求項１記載の二次電池において、この中の該第二基板が、プリント基板材質であることを特徴とする、二次電池。
【請求項４】
請求項１記載の二次電池において、この中の該第一金属薄層の材料が、銅金属、アルミ金属のいずれかであることを特徴とする、二次電池。
【請求項５】
請求項１記載の二次電池において、この中の該第二金属薄層の材料が、銅金属、アルミ金属のいずれかであることを特徴とする、二次電池。
【請求項６】
請求項１記載の二次電池において、この中の該正電極が、少なくとも両面銅張積層板(CCL)であることを包含することを特徴とする、二次電池。
【請求項７】
請求項１記載の二次電池において、この中の該負電極が、少なくとも両面アルミベース基板であることを包含することを特徴とする、二次電池。
【請求項８】
請求項２記載の二次電池において、この中の該プリント基板材質が、FR４、フレキシブルプリント基板(Flexible Printed Circuit Board)のいずれかであることを特徴とする、二次電池。
【請求項９】
請求項３記載の二次電池において、この中の該プリント基板材質が、FR４、フレキシブルプリント基板(Flexible Printed Circuit Board) のいずれかであることを特徴とする、二次電池。
【請求項１０】
請求項１記載の二次電池において、この中の該二次電池が、リチウムイオン充電電池であることを特徴とする、二次電池。
【請求項１１】
請求項１記載の二次電池において、この中の該二次電池が、ニッケル水素充電電池であることを特徴とする、二次電池。
【請求項１２】
請求項１記載の二次電池において、この中の該二次電池が、リチウムイオンポリマー充電電池であることを特徴とする、二次電池。
【発明の詳細な説明】
【技術分野】
【０００１】
本発明は二次電池に係り、特に、プリント基板の製造工程で製造する二次電池であり、且つ該二次電池の正電極と負電極が両面銅張積層板(CCL)に類似した構造を具備する材料を用いることに関する。
【背景技術】
【０００２】
周知の二次電池構造がリチウムイオン充電電池、ニッケル水素充電電池、リチウムイオンポリマー充電電池等である場合、金属包装カバー体を用いており、該各充電池を組成する材料である正電極、負電極、隔離膜、電解物質等を金属カバー体内に封入している。これにより、周知の二次電池構造は、プリント基板の製造工程において二次電池を製造することができなかった。更に、周知の二次電池構造に基づくと、二次電池として使用する正電極と負電極の構造についても両面銅張積層板(CCL)に類似する構造を用いるものを開示していない。
【０００３】
本発明の発明人は二次電池の正電極と負電極の構造に基づいて、両面銅張積層板(CCL) に類似した構造を用いて、容易にプリント基板の製造工程で製造できる二次電池を実施した。
【発明の開示】
【発明が解決しようとする課題】
【０００４】
本発明の主な目的はプリント基板の製造工程で二次電池を製造することにあり、且つ、該二次電池が、両面銅張積層板(CCL)に類似する構造を具備する材料を使用して正電極と負電極にすることにある。
【０００５】
上記の目的を達成するため、本発明は一種の二次電池は、二次電池のコアコンポーネントを包含し、また該コンポーネントには正電極、隔離膜、負電極を包含し、この中の正電極、隔離膜、負電極が順序とおり重畳し、正電極には少なくとも第一基板、及び、第一基板の上部面と下部面をそれぞれ被覆する第一金属薄層を包含し、負電極には少なくとも第二基板、及び、第二基板の上部面と下部面をそれぞれ被覆する第二金属薄層を包含し、また、包装カバー体はプリント基板材質で、且つ、二次電池のコアコンポーネントを密封包囲し、電解物質を該包装カバー体で密封包囲している空間内に充填することを包含する。
【０００６】
該項目を熟知する技術者に本発明の目的、特徴、及び、効果を理解してもらうため、下記の具体的実施例を介すると共に付属の図式を組み合わせることで、本発明に対する詳細な説明を以下のとおり行う。
【発明を実施するための最良の形態】
【０００７】
図１は本発明である二次電池の外観立体図、及び、図２は図１のAA断面線に沿った断面図である。本発明である二次電池１０には主に二次電池のコアコンポーネント１１、電解物質１３、及び、包装カバー体１５を包含し、この中の二次電池のコアコンポーネント１１と電解物質１３が包装カバー体１５内部に密封包囲される。本発明の包装カバー体１５として用いる材質はプリント基板の材質であり、該包装カバー体１５の具体的手段は、プリント基板の製造工程手段で、該プリント基板がそれぞれ凹字形の上部カバー体と下部カバー体に分かれて形成され、更にプリント基板の製造工程手段によって1個の内部空間を有したカバー体として密着することができる。二次電池のコアコンポーネント１１には主に正電極１１１、隔離膜１１３、負電極１１５を包含し、この中の正電極１１１、隔離膜１１３、負電極１１５が順番とおり重畳する。本発明の二次電池を組み立てる時、二次電池のコアコンポーネント１１を凹字形の上部カバー体と下部カバー体の間に収納し、且つ、電解物質１３を凹字形の上部カバー体と下部カバー体の間に充填し、更に該上、下部カバー体を密着する。
【０００８】
本発明である二次電池１０で強調することは正電極１１１と負電極１１５の構造であり、図３に示す本発明の二次電池の正電極の構造図を見ていただきたい。該図３内において、正電極１１１は主に第一基板１１１１、及び、第一基板１１１１の上部面と下部面をそれぞれ被覆する第一金属薄層１１１３を包含する。本発明である第一基板１１１１は例えばFR４、フレキシブルプリント基板(Flexible Printed Circuit Board)のようなプリント基板材質を用いることができ、また、第一金属薄層１１１３の材料として銅金属、アルミ金属等を用いることができる。これにより、本発明の正電極１１１の構造特徴に基づいて、両面銅張積層板(CCL)を正電極１１１の材料として選択できる。
【０００９】
図４は本発明の二次電池の負電極を示した構造図である。該図４内において、負電極１１５は主に第二基板１１５１、及び、第二基板１１５１の上部面と下部面をそれぞれ被覆する第二金属薄層１１５３を包含する。本発明の第二基板１１５１は例えばFR４、フレキシブルプリント基板(Flexible Printed Circuit Board)のようなプリント基板材質を用いることができ、また第二金属薄層１１５３の材料として銅金属、アルミ金属等を用いることができる。これにより、本発明の負電極１１５の構造特徴に基づいて、両面アルミベース基板を負電極１１５の材料として選択できる。
【００１０】
本発明である二次電池１０で開示した構造に基づくと、該項目技術に熟知した技術者は二次電池１０についてリチウムイオン充電電池、ニッケル水素充電電池、リチウムイオンポリマー充電電池等を具体的に実施できるが、これらに挙げた具体的実施例及びその他の可能になる具体的実施例についても、全て本発明の範疇内に属することとする。例えばリチウムイオン充電電池を範例として説明すると、本発明の正電極１１１には上記の第一基板１１１１、及び、第一金属薄層１１１３を包含すること以外に、更にコバルト酸リチウム (LiCoO２)、或いは、マンガン酸リチウム(LiMn２O４)の活物質も包含する。同時に、本発明の負電極１１５には上記の第二基板１１５１、及び、第二金属薄層１１５３を包含すること以外に、炭素の活物質も包含する。更に、正電極１１１、隔離膜１１３、負電極１１５を上から下に順番とおり重畳設置された構造を形成し、この時、使用する正電極１１１、隔離膜１１３、負電極１１５が可撓性の物理性質を具える場合、二次電池のコアコンポーネント１１を巻きつけて製造することができる。使用する正電極１１１、隔離膜１１３、負電極１１５が可撓性の物理性質を具えていない場合、積層の重畳方法を用い、つまり正電極１１１、隔離膜１１３、負電極１１５、隔離膜１１３、正電極１１１、隔離膜１１３、負電極１１５などを重畳させることで二次電池のコアコンポーネント１１を製造できる。
【００１１】
本発明における具体的な実施例を上記に記載したが、以上の実施例が本発明の実施範囲を限定するものではなく、この技術を熟知している任意のものが、本発明の精神と範囲内に基づいた各種の改変と修飾を行うことについて、その改変と修飾もまた本発明の請求範囲に属するものとし、本発明の保護範囲は後述する特許請求範囲で定めたものを基準とする。
【図面の簡単な説明】
【００１２】
【図１】本発明である二次電池の外観を示した立体図である。
【図２】第一図のAA断面線に沿った断面図である。
【図３】本発明である二次電池の正電極を示した構造図である。
【図４】本発明である二次電池の負電極を示した構造図である。
【符号の説明】
【００１３】
１０    二次電池
１１    二次電池のコアコンポーネント
１３    電解物質
１５    包装カバー体
１１１   正電極
１１３   隔離膜
１１５   負電極
１１１１  第一基板
１１１３  第一金属薄層
１１５１  第二基板
１１５３  第二金属薄層
【図１】
2006054182.tif 000003
【図２】
2006054182.tif 000004
【図３】
2006054182.tif 000005
【図４】
2006054182.tif 000006